(57)【要約】【課題】チョークコイルを用いることなく昇圧動作を可能とするコンバータ回路装置を提供する。【解決手段】直列に接続された２つのコンデンサ２３及び２４を夫々バッテリ１１の直流電圧Ｅで充電可能となるようにコンバータ回路装置１２を構成し、制御回路２９は、ＦＥＴ２１及び２２のオンデューティ比を変化させることで、出力電圧をＥ〜２Ｅの範囲で任意に制御する。【選択図】　図１
2004056967.tif 000002
【特許請求の範囲】
【請求項１】
直流電源が接続される一対の入力端子と、
入出力端子間を接続する正側直流母線に順方向で介挿される第１ダイオードと、
入出力端子間を接続する負側直流母線に逆方向で介挿される第２ダイオードと、
前記第１ダイオードのアノード側と、前記第２ダイオードのカソード側との間に直列接続される第１及び第２スイッチング素子と、
前記第１ダイオードのカソード側と、前記第２ダイオードのアノード側との間に直列接続されると共に、両者の共通接続点が前記第１及び第２スイッチング素子の共通接続点とも接続されている第１及び第２コンデンサと、
前記第１及び第２スイッチング素子を交互にオンさせることで、出力端子間に出力される直流電圧を制御する制御回路とを備えてなることを特徴とするコンバータ回路装置。
【請求項２】
直流電源が接続される一対の入力端子と、
これらの入力端子間に接続され、Ｈブリッジ接続される複数のスイッチング素子によりスイッチングを行なうことで交流電圧を生成する交流電圧生成手段と、この交流電圧生成手段の交流出力端子の一方にアノード及びカソードが夫々接続される第１及び第２ダイオードと、
前記第１ダイオードのカソードと前記第２ダイオードのアノードとの間に直列に接続されると共に、両者の共通接続点が前記交流電圧生成手段の交流出力端子の他方に接続される第１及び第２コンデンサと、
前記交流電圧生成手段を構成するスイッチング素子をスイッチングさせることで、前記第１及び第２コンデンサの直列回路の両端子間に出力される直流電圧を制御する制御回路とを備えてなることを特徴とするコンバータ回路装置。
【請求項３】
出力端子間に出力される直流電圧を検知するための電圧検知手段を備え、
制御回路は、前記電圧検知手段によって検知される直流電圧が所定電圧となるように、スイッチング素子の導通比を制御することを特徴とする請求項１または２記載のコンバータ回路装置。
【請求項４】
直流電源たるバッテリと、
請求項１乃至３の何れかに記載のコンバータ回路装置とを備え、搬送可能に構成されることを特徴とする電気機器。
【請求項５】
直流電源たるバッテリと、
送風ファン及びモータで構成され、塵埃を吸引するための風力を生成する送風機と、
請求項１乃至３の何れかに記載のコンバータ回路装置とを備え、
前記コンバータ回路装置は、前記送風機を駆動するための直流電源を生成出力することを特徴とする掃除機。
【発明の詳細な説明】
【０００１】
【発明の属する技術分野】
本発明は、直流電源の電圧を所定の電圧に変換して出力するコンバータ回路装置、及びこのコンバータ回路装置を備えて構成される電気機器並びに掃除機に関する。
【０００２】
【発明が解決しようとする課題】
最近の掃除機では、二次電池であるバッテリを搭載し、そのバッテリを充電することで駆動可能となる、所謂コードレス方式を採用したものが実用化されている。そして、掃除機に内蔵されている送風機を駆動するためには、モータに高い電圧を印加する必要があることから、通常はバッテリ電圧を昇圧させるコンバータ回路をも内蔵している。
【０００３】
図６は、そのような掃除機に採用されているコンバータ回路の一構成例を示すものである。制御回路１がＦＥＴ２をオンさせると、バッテリ３の正側端子，チョークコイル４，ＦＥＴ２，バッテリ３の負側端子の経路で電流が流れ、チョークコイル４には磁気的エネルギが蓄積される。そして、制御回路１がＦＥＴ２をオフさせると、チョークコイル４に蓄積された磁気的エネルギによる遅れ電流がダイオード５を介してコンデンサ６に流れ、コンデンサ６を充電する。
【０００４】
以上の動作を高速で繰り返すことにより、コンデンサ６は、バッテリ３の直流電圧よりも高い電圧で充電される。制御回路１は、出力端子間に接続された分圧抵抗７及び８により出力電圧レベルを検出し、所定の電圧レベルとなるようにＦＥＴ２のスイッチング制御を行なう。この場合、負荷９は、送風機のモータである。
【０００５】
ここで、図６に示すコンバータ回路は、昇圧動作を行なうためチョークコイル４を用いているが、チョークコイル４は、例えば鉄などの磁性材料や銅線で構成されており、他の回路素子に比較して重量や体積が大きい。上記コンバータ回路を備えた掃除機は可搬性をセールスポイントとするものであるため、本体の重量や体積は極力小さくすることが好ましい。
【０００６】
本発明は上記事情に鑑みてなされたものであり、その目的は、チョークコイルを用いることなく昇圧動作を可能とするコンバータ回路装置、及びこのコンバータ回路装置を備えて構成される電気機器並びに掃除機を提供することにある。
【０００７】
【課題を解決するための手段】
上記目的を達成するため、請求項１記載のコンバータ回路装置は、直流電源が接続される一対の入力端子と、
入出力端子間を接続する正側直流母線に順方向で介挿される第１ダイオードと、
入出力端子間を接続する負側直流母線に逆方向で介挿される第２ダイオードと、
前記第１ダイオードのアノード側と、前記第２ダイオードのカソード側との間に直列接続される第１及び第２スイッチング素子と、
前記第１ダイオードのカソード側と、前記第２ダイオードのアノード側との間に直列接続されると共に、両者の共通接続点が前記第１及び第２スイッチング素子の共通接続点とも接続されている第１及び第２コンデンサと、
前記第１及び第２スイッチング素子を交互にオンさせることで、出力端子間に出力される直流電圧を制御する制御回路とを備えてなることを特徴とする。
【０００８】
斯様に構成すれば、制御回路が第１スイッチング素子をオンさせると、直流電源によって流れる電流は、正側入力端子，第１スイッチング素子，第２コンデンサ，第２ダイオード，負側入力端子の経路で流れる。また、制御回路が第２スイッチング素子をオンさせると、電流は、正側入力端子，第１ダイオード，第１コンデンサ，第２スイッチング素子，負側入力端子の経路で流れる。
【０００９】
即ち、第１，第２コンデンサは夫々直流電源電圧相当で充電されるので、最大で直流電源電圧Ｅの２倍の電圧２Ｅを出力することができる。そして、制御回路がオンデューティを変化させることで、コンバータ回路装置の出力電圧は、Ｅ〜２Ｅの範囲で任意に制御することが可能となる。従って、従来構成とは異なり、チョークコイルのようなインダクタンスを用いることなく昇圧動作を行なうことができる。
【００１０】
また、請求項２記載のコンバータ回路装置は、直流電源が接続される一対の入力端子と、
これらの入力端子間に接続され、Ｈブリッジ接続される複数のスイッチング素子によりスイッチングを行なうことで交流電圧を生成する交流電圧生成手段と、この交流電圧生成手段の交流出力端子の一方にアノード及びカソードが夫々接続される第１及び第２ダイオードと、
前記第１ダイオードのカソードと前記第２ダイオードのアノードとの間に直列に接続されると共に、両者の共通接続点が前記交流電圧生成手段の交流出力端子の他方に接続される第１及び第２コンデンサと、
前記交流電圧生成手段を構成するスイッチング素子をスイッチングさせることで、前記第１及び第２コンデンサの直列回路の両端子間に出力される直流電圧を制御する制御回路とを備えてなることを特徴とする。
【００１１】
斯様に構成すると、交流電圧生成手段を構成するスイッチング素子を全てオフすれば、交流出力端子間に電圧は出力されることがなく、第１及び第２コンデンサの直列回路の両端子間に出力される直流電圧レベルはゼロとなる。そして、一方の出力端子側の上アーム及び他方の出力端子側の下アームのスイッチング素子をオンさせると、直流電源によって流れる電流は、正側入力端子，上アームスイッチング素子，第１ダイオード，第１コンデンサ，下アームスイッチング素子，負側入力端子の経路で流れる。また、他方の出力端子側の上アーム及び一方の出力端子側の下アームのスイッチング素子をオンさせると、電流は、正側入力端子，上アームスイッチング素子，第２コンデンサ，第２ダイオード，下アームスイッチング素子，負側入力端子の経路で流れる。
【００１２】
即ち、第１，第２コンデンサは夫々直流電源電圧相当で充電されるので、最大で直流電源電圧Ｅの２倍の電圧２Ｅを出力することができる。そして、制御回路がオンデューティを変化させることで、コンバータ回路装置の出力電圧は、０〜２Ｅの範囲で任意に制御することが可能となる。従って、請求項１と同様に、チョークコイルのようなインダクタンスを用いることなく昇圧動作を行なうことができる。そして、電圧の可変制御をより広い範囲で行なうことができる。
【００１３】
以上の場合において、請求項３に記載したように、出力端子間に出力される直流電圧を検知するための電圧検知手段を備え、
制御回路を、前記電圧検知手段によって検知される直流電圧が所定電圧となるように、スイッチング素子の導通比を制御するように構成すると良い。斯様に構成すれば、直流出力電圧レベルが制御目標値に等しくなるように確実に制御することができる。
【００１４】
請求項４記載の電気機器は、直流電源たるバッテリと、請求項１乃至３の何れかに記載のコンバータ回路装置とを備え、搬送可能に構成されることを特徴とする。即ち、上記コンバータ回路装置を備えることで、軽量且つ小型で、搬送がより容易な電気機器を構成することができる。尚、ここで言う「搬送可能」とは、人間が片手に持った状態で搬送することができること（所謂、ポータブルであること）、の意味で用いている。
【００１５】
請求項５記載の掃除機は、直流電源たるバッテリと、
送風ファン及びモータで構成され、塵埃を吸引するための風力を生成する送風機と、
請求項１乃至３の何れかに記載のコンバータ回路装置とを備え、
前記コンバータ回路装置は、前記送風機を駆動するための直流電源を生成出力することを特徴とする。即ち、掃除機は、ユーザが掃除を行なうために移動することに伴って移動されるため、バッテリを内蔵しコードレスとした場合は、ユーザが掃除機を片手に持った状態でも楽に搬送できることが重要である。従って、上記コンバータ回路装置を備えることで、請求項４と同様に、軽量且つ小型で搬送により有利な掃除機を構成することができる。
【００１６】
【発明の実施の形態】
（第１実施例）
以下、本発明を掃除機に搭載されるコンバータ回路装置に適用した場合の第１実施例について、図１乃至図４を参照して説明する。図１は、コンバータ回路装置の電気的構成を示すものである。二次電池で構成されるバッテリ（直流電源）１１の正側端子，負側端子は、コンバータ回路装置１２の入力端子１３，１４に接続されている。正側入力端子１３は、順方向のダイオード（第１ダイオード）１５が介挿されている正側直流母線１６を介して正側出力端子１７に接続されており、負側入力端子１４は、逆方向のダイオード（第２ダイオード）１８が介挿されている負側直流母線１９を介して負側出力端子２０に接続されている。
【００１７】
入力端子１３，１４の間には、ＮチャネルＦＥＴ２１（第１スイッチング素子）及びＦＥＴ２２（第２スイッチング素子）の直列回路が接続されており、ハーフブリッジ型のインバータ回路が構成されている。一方、出力端子１７，２０の間には、コンデンサ２３（第１コンデンサ）及びコンデンサ２４（第２コンデンサ）の直列回路，平滑コンデンサ２５，分圧抵抗２６及び２７の直列回路が接続されている。そして、ＦＥＴ２１及び２２の共通接続点は、コンデンサ２３及び２４の共通接続点に接続されている。
【００１８】
また、出力端子１７，２０の間には、負荷として掃除機のファンモータ２８が接続されている（図３参照）。分圧抵抗（電圧検知手段）２６及び２７の共通接続点は、制御回路２９の入力ポートに接続されている。制御回路２９は、マイクロコンピュータで構成されており、操作部３０より与えられる操作信号に応じてファンモータ２８の駆動電圧を設定し、ＦＥＴ２１及び２２のゲートにゲート信号を出力してスイッチング制御を行うようになっている。そして、出力端子１７，２０間に接続された分圧抵抗２６，２７の共通接続点の電位を参照することで、前記駆動電圧のフィードバック制御を行なう。
【００１９】
図２は、上記構成のコンバータ回路装置１２が組み込まれて構成される掃除機（電気機器）３１の構成を概略的に示すものである。掃除機３１の本体３２内部には、バッテリ１１，コンバータ回路装置１２，ファンモータ２８及び送風ファン５０などが配置されている。そして、ファンモータ２８が送風ファン５０を回転させることで吸引力を発生させ、ヘッド３３より吸い上げた塵埃を延長管３４，ホース３５を介して本体３２内部に配置されている紙パックなどよりなる捕集部（図示せず）に捕集するようになっている。尚、ファンモータ２８と送風ファン５０とが送風機３６を構成している。
【００２０】
また、延長管３４とホース３５との接続部分にはユーザが把持するためのグリップ部３７があり、そのグリップ部３７には、スライドスイッチなどよりなる操作部３０が設けられている。一方、本体３２の上部にも、ユーザが把持して本体３２を移動させるためのグリップ部３８が設けられている。
即ち、掃除機３１は、二次電池よりなるバッテリ１１を備えたことで、商用交流電源から電力を得るためコンセントに接続を行う電源コードが不要な構成であり、所謂コードレスタイプとなっている。
【００２１】
次に、本実施例の作用について図３及び図４をも参照して説明する。図３は、掃除機３１が動作する場合に、コンバータ回路装置１２の制御回路２９が行う処理の内容を示すフローチャートである。制御回路２９は、先ず、操作部３０においてユーザが行った出力設定ＰＳＥＴを読み込む（ステップＳ１）。そして、その出力設定ＰＳＥＴが前回読み込んだ設定より変化している場合は（ステップＳ２，「ＹＥＳ」）、出力設定ＰＳＥＴに応じた設定電圧ＶＳＥＴ（即ち、コンバータ回路装置１２の出力電圧）を決定する（ステップＳ３）。
【００２２】
続いて、制御回路２９は、設定電圧ＶＳＥＴに応じたデューティ比によってＦＥＴ２１及び２２をスイッチングさせる（ステップＳ４）。ここで、図４は、制御回路２９がＦＥＴ２１及び２２に出力するゲート信号の波形を示すタイミングチャートである。即ち、ＦＥＴ２１及び２２は同一の時間ＴＯＮ（オンデューティ）によって交互にオンされるようになっている。尚、時間Ｔｄは、ＦＥＴ２１及び２２が同時にオンして短絡電流が流れることを防止するためのデッドタイムである。
【００２３】
ＦＥＴ２１がオンすると、電流は、バッテリ１１から、入力端子１３，ＦＥＴ２１，コンデンサ２４，ダイオード１８及び入力端子１４の経路で流れるので、コンデンサ２４はバッテリ１１の電圧Ｅによって充電される。一方、ＦＥＴ２２がオンすると、電流は、バッテリ１１から、入力端子１３，ダイオード１５，コンデンサ２３，ＦＥＴ２２及び入力端子１４の経路で流れるので、コンデンサ２３はバッテリ１１の電圧Ｅによって充電される。
【００２４】
そして、ＦＥＴ２１及び２２が何れも継続的にオフしている状態になると、コンデンサ２３及び２４並びに２５は、ダイオード１５及び１８によりバッテリ１１の電圧Ｅで充電される。従って、制御回路２９がＦＥＴ２１及び２２のオンデューティを変化させることで、コンバータ回路装置１２の出力電圧は、Ｅ〜２Ｅの範囲で変化させることができる。
【００２５】
再び、図３を参照する。制御回路２９はＦＥＴ２１及び２２のスイッチングを開始すると、検出電圧ＶＯＵＴを読み込む（ステップＳ５）。そして、検出電圧ＶＯＵＴが設定電圧ＶＳＥＴよりも小さいか否かを判断する（ステップＳ６）。ＶＯＵＴ＜ＶＳＥＴであれば（「ＹＥＳ」）、ＦＥＴ２１及び２２のオンデューティ比を増加させる（ステップＳ７）。
【００２６】
また、ＶＯＵＴ≧ＶＳＥＴであれば（「ＮＯ」）ＶＯＵＴ＞ＶＳＥＴであるか否かを判断し（ステップＳ９）、ＶＯＵＴ＞ＶＳＥＴであれば（「ＹＥＳ」）　ＦＥＴ２１及び２２のオンデューティ比を減少させる（ステップＳ１０）。ステップＳ９において「ＮＯ」と判断した場合はＶＯＵＴ＝ＶＳＥＴであるから、そのままステップＳ８に移行する。
【００２７】
ステップＳ７，Ｓ１０の実行後もステップＳ８に移行し、制御回路２９は、ユーザの操作によって操作部３０のスイッチがオフされたか否かを判断し、オフされていなければ（「ＮＯ」）ステップＳ１に戻る。そして、オフされた場合は（「ＹＥＳ」）処理を終了する。
【００２８】
以上のように本実施例によれば、直列に接続された２つのコンデンサ２３及び２４を夫々バッテリ１１の直流電圧Ｅで充電可能となるようにコンバータ回路装置１２を構成し、制御回路２９は、ＦＥＴ２１及び２２のオンデューティ比を変化させることで、出力電圧をＥ〜２Ｅの範囲で任意に制御するようにした。従って、従来構成とは異なり、チョークコイルのようなインダクタンスを用いることなく昇圧動作を行なうことができる。
【００２９】
また、制御回路２９は、分圧抵抗２６及び２７によって検知される電圧ＶＯＵＴが所定電圧となるように、ＦＥＴ２１及び２２のオンデューティ比を制御するように構成するので、コンバータ回路装置１２の出力電圧レベルが制御目標値に等しくなるように確実に制御することができる。
【００３０】
そして、掃除機３１にコンバータ回路装置１２を組み込んで、送風ファン５０を駆動するファンモータ２８を駆動するようにした。即ち、掃除機３１は、ユーザが掃除を行なうために移動することに伴って移動されるため、バッテリ１１を内蔵しコードレスとした場合は、ユーザが掃除機３１を片手に持った状態でも楽に搬送できることが重要である。従って、コンバータ回路装置１２を備えることで、従来構成とは異なり昇圧用のインダクタンスが不要となり、軽量且つ小型で搬送により有利な掃除機３１を構成することができる。
【００３１】
（第２実施例）
図５は本発明の第２実施例であり、第１実施例と同一部分には同一符号を付して説明を省略し、以下異なる部分についてのみ説明する。第２実施例のコンバータ回路装置４０ではダイオード１５及び１８が削除されており、その部分で直流母線１６，１９は分断されている。そして、入力端子１３，１４側には、ＦＥＴ２１及び２２に代えて、４つのＮチャネルＦＥＴ（スイッチング素子）４１〜４４で構成されているＨブリッジ型のインバータ回路（交流電圧生成手段）４５が構成されている。
【００３２】
また、コンデンサ２３及び２４の直列回路には、２つの逆方向ダイオード（第１及び第２ダイオード）４６及び４７の直列回路が並列に接続されている。これらのダイオード４６及び４７の共通接続点はインバータ回路４５の一方（ＦＥＴ４１，４２側）の出力端子に接続されており、コンデンサ２３及び２４の共通接続点はインバータ回路４５の他方（ＦＥＴ４３，４４側）の出力端子に接続されている。そして、制御回路２９に代わる制御回路４８は、ＦＥＴ４１〜４４のゲートにゲート信号を出力する。その他構成は第１実施例と同様である。
【００３３】
次に、第２実施例の作用について説明する。インバータ回路４５は、周知のように、上アーム側のＦＥＴ４１と下アーム側のＦＥＴ４４とを同時にオンさせ、次に、上アーム側のＦＥＴ４３と下アーム側のＦＥＴ４２とを同時にオンさせることを交互に繰り返すことでバッテリ１１の直流電圧から交流電圧を生成する。
【００３４】
即ち、前者の場合、電流は、バッテリ１１から、入力端子１３，ＦＥＴ４１，ダイオード４６，コンデンサ２３，ＦＥＴ４４及び入力端子１４の経路で流れるので、コンデンサ２３はバッテリ１１の電圧Ｅによって充電される。一方、後者の場合、電流は、バッテリ１１から、入力端子１３，ＦＥＴ４３，コンデンサ２４，ダイオード４７，ＦＥＴ４２及び入力端子１４の経路で流れるので、コンデンサ２４はバッテリ１１の電圧Ｅによって充電される。
【００３５】
そして、ＦＥＴ４１〜４４が何れも継続的にオフしている状態になると、コンデンサ２３及び２４並びに２５は全く充電されなくなる。従って、制御回路４８がＦＥＴ４１及び４４，ＦＥＴ４２及び４３のオンデューティを変化させることで、コンバータ回路装置４０の出力電圧は、０〜２Ｅの範囲で変化させることができる。
【００３６】
以上のように第２実施例によれば、コンバータ回路装置４０は、Ｈブリッジ型のインバータ回路４５を備えて構成したので、制御回路４８がＦＥＴ４１〜４５のオンデューティを変化させることで、コンバータ回路装置４０の出力電圧は０〜２Ｅの範囲で任意に制御することが可能となる。従って、第１実施例と同様に、チョークコイルのようなインダクタンスを用いることなく昇圧動作を行なうことができると共に、電圧の可変制御をより広い範囲で行なうことができる。
【００３７】
本発明は上記し且つ図面に記載した実施例にのみ限定されるものではなく、以下のような変形または拡張が可能である。
例えば、掃除機３１のヘッド３３部分にごみセンサを設け、そのごみセンサによって検出される負荷の大きさに応じてファンモータ２９の駆動電圧レベルを変化させるように構成しても良い。
スイッチング素子は、ＦＥＴに限ることなく、トランジスタやＩＧＢＴなどでも良い。
電気機器は掃除機３１に限ることなく、その他、バッテリで駆動され、ユーザが搬送可能となるように構成されるものであれば広く適用することができる。
【００３８】
【発明の効果】
請求項１記載のコンバータ回路装置によれば、制御回路が第１，第２スイッチング素子を交互にオンさせると、第１，第２コンデンサは夫々直流電源電圧相当で充電されるので、最大で直流電源電圧Ｅの２倍の電圧２Ｅを出力することができる。そして、制御回路がオンデューティを変化させることで、コンバータ回路装置の出力電圧は、Ｅ〜２Ｅの範囲で任意に制御することが可能となる。従って、従来構成とは異なり、チョークコイルのようなインダクタンスを用いることなく昇圧動作を行なうことができる。
【００３９】
請求項２記載のコンバータ回路装置によれば、制御回路が交流電圧生成手段における一方の上アーム側と他方の下アーム側とで組となるスイッチング素子を交互にオンさせると、第１，第２コンデンサは夫々直流電源電圧相当で充電されるので、最大で直流電源電圧Ｅの２倍の電圧２Ｅを出力することができる。そして、制御回路がオンデューティを変化させることで、コンバータ回路装置の出力電圧は、０〜２Ｅの範囲で任意に制御することが可能となる。従って、請求項１と同様に、チョークコイルのようなインダクタンスを用いることなく昇圧動作を行なうことができる。そして、電圧の可変制御をより広い範囲で行なうことができる。
【００４０】
請求項４記載の電気機器によれば、直流電源たるバッテリと、請求項１乃至３の何れかに記載のコンバータ回路装置とを備え、搬送可能に構成されるので、軽量且つ小型で、搬送がより容易な電気機器を構成することができる。
【００４１】
請求項５記載の掃除機によれば、直流電源たるバッテリと、送風ファン及びモータで構成され、塵埃を吸引するための風力を生成する送風機と、請求項１乃至３の何れかに記載のコンバータ回路装置とを備え、コンバータ回路装置は、送風機を駆動するための直流電源を生成出力するので、請求項４と同様に、軽量且つ小型で搬送により有利な掃除機を構成することができる。
【図面の簡単な説明】
【図１】本発明を掃除機に搭載されるコンバータ回路装置に適用した場合の第１実施例であり、コンバータ回路装置の電気的構成を示す図
【図２】コンバータ回路装置が組み込まれて構成される掃除機の構成を概略的に示す図
【図３】掃除機が動作する場合に、コンバータ回路装置の制御回路が行う処理の内容を示すフローチャート
【図４】制御回路がＦＥＴに出力するゲート信号の波形を示すタイミングチャート
【図５】本発明の第２実施例を示す図１相当図
【図６】従来技術を示す図１相当図
【符号の説明】
１１はバッテリ（直流電源）、１２はコンバータ回路装置、１３，１４は入力端子、１５はダイオード（第１ダイオード）、１６は正側直流母線、１７は正側出力端子、１８はダイオード（第２ダイオード）、１９は負側直流母線、２０は負側出力端子、２１はＦＥＴ（第１スイッチング素子）、２２はＦＥＴ２２（第２スイッチング素子）、２３はコンデンサ（第１コンデンサ）、２４はコンデンサ２４（第２コンデンサ）、２６及び２７は分圧抵抗（電圧検知手段）、２８はモータ、２９は制御回路、３６は送風機、４１〜４４はＦＥＴ（スイッチング素子）、４５はインバータ回路（交流電圧生成手段）、４６及び４７はダイオード（第１及び第２ダイオード）、４８は制御回路、５０は送風ファンを示す。
【図１】
2004056967.tif 000003
【図２】
2004056967.tif 000004
【図３】
2004056967.tif 000005
【図４】
2004056967.tif 000006
【図５】
2004056967.tif 000007
【図６】
2004056967.tif 000008